(57)【要約】　　　（修正有）【課題】カメラ一体型ＶＴＲ等の撮像装置のアクセサリーシューにストロボ装置等のアクセサリーを締付固定するための取付部材に緩みが生じたような場合にも、取付部材の移動を制限してアクセサリーが撮像装置から容易には抜け落ちないようにする。【解決手段】アクセサリーシュー１７は、底面片１７ａ、側面片１７ｂ、上面片１７ｃ及びストッパ片１７ｄを有する板金部材よりなり、底面片１７ａの両端を折り曲げ、立ち上げるようにして側面片１７ｂを形成し、各側面片１７ｂの両端を互いに内側に折り曲げ、水平に対向させて上面片１７ｃを形成し、各上面片１７ｃの長手方向の一端を底面片１７ａ側に折り曲げることによりストッパ片１７ｄを形成する【選択図】図２
2004029733.tif 000002
【特許請求の範囲】
【請求項１】
撮像装置のアクセサリー取付け用のアクセサリーシューであって、
該アクセサリーシューは、底面片、側面片、上面片及びストッパ片を有する板金部材よりなり、
上記底面片の両端を折り曲げ、立ち上げるようにして上記側面片を形成し、
該各側面片の両端を互いに内側に折り曲げ、水平に対向させて上記上面片を形成し、
該各上面片の長手方向の一端を上記底面片側に折り曲げることにより上記ストッパ片を形成するようにしたことを特徴とするアクセサリーシュー。
【請求項２】
請求項１記載のアクセサリーシューにおいて、
上記ストッパ片は上記上面片に対し所定の傾斜角が与えられているように形成するようにしたことを特徴とするアクセサリーシュー。
【請求項３】
請求項１記載のアクセサリーシューにおいて、
上記アクセサリーシューはコネクタ部材を有し、上記アクセサリーの接続端子と接触可能に構成されていることを特徴とするアクセサリーシュー。
【請求項４】
請求項３記載のアクセサリーシューにおいて、
上記アクセサリーシューは、上記コネクタ部材を覆うスライドカバーを有し、上記アクセサリーの脱着動作に連動して開閉されるように構成されていることを特徴とするアクセサリーシュー。
【請求項５】
アクセサリー取付け用のアクセサリーシューを有する撮像装置であって、
上記アクセサリーシューは、底面片、側面片、上面片及びストッパ片を有する板金部材よりなり、
上記底面片の両端を折り曲げ、立ち上げるようにして上記側面片を形成し、
該各側面片の両端を互いに内側に折り曲げ、水平に対向させて上記上面片を形成し、
該各上面片の長手方向の一端を上記底面片側に折り曲げることにより上記ストッパ片を形成するようにしたことを特徴とするアクセサリーシューを有する撮像装置。
【請求項６】
請求項５記載のアクセサリーシューを有する撮像装置において、上記ストッパ片は上記上面片に対し所定の傾斜角が与えられているように形成するようにしたことを特徴とするアクセサリーシューを有する撮像装置。
【請求項７】
請求項５記載のアクセサリーシューを有する撮像装置において、上記アクセサリーシューはコネクタ部材を有し、上記アクセサリーの接続端子と接触可能に構成されていることを特徴とするアクセサリーシューを有する撮像装置。
【請求項８】
請求項７記載のアクセサリーシューを有する撮像装置において、上記アクセサリーシューは、上記コネクタ部材を覆うスライドカバーを有し、上記アクセサリーの脱着動作に連動して開閉されるように構成されていることを特徴とするアクセサリーシューを有する撮像装置。
【発明の詳細な説明】
【０００１】
【発明の属する技術分野】
本発明は、カメラやカメラ一体型ビデオテープレコーダ（以下「カメラ一体型ＶＴＲ」という。）等の撮像装置に、ストロボ装置や照明装置等のアクセサリーを取り付けるために用いられるアクセサリーシュー、及びそのアクセサリーシューを有する撮像装置に関するものである。
【０００２】
【従来の技術】
従来、一般に、撮影レンズを通して物体の像を感光材料面に記録させるカメラや、カメラ機構とＶＴＲ（ビデオテープレコーダ）機構とが一体化されたカメラ一体型ＶＴＲ等には、ストロボ装置や照明装置等を取り付けるためにアクセサリーシューが一体的に取り付けられている。このようなアクセサリーシューとしては、例えば、図１１に示すようなものがある。
【０００３】
図１１に示すアクセサリーシュー１は、全体が板金によって形成されたシュー本体からなり、板金に折曲加工を施すことによって底面片１ａと、一対の側面片１ｂと、一対の上面片１ｃとが一体に形成されている。シュー本体の底面片１ａは中央部に配置されていて、その両側を９０度折り曲げることによって一対の側面片１ｂが形成され、更に、その両側を９０度折り曲げることによって一対の上面片１ｃが形成されている。従って、一対の上面片１ｃは底面片１ａと平行になっていると共に、上面片１ｃ間には、ストロボ装置等のアクセサリー２の取付部材３の固定ねじ４が挿通される隙間が設けられている。そして、上記構成を有するアクセサリーシュー１が、カメラやカメラ一体型ＶＴＲ等の上面に一体的に固定されている。
【０００４】
また、アクセサリー２に設けられた取付部材３は、アクセサリー本体の下面に固定された上記固定ねじ４と、この固定ねじ４に螺合された締付リング５と、固定ねじ４の先端に固定された固定板６とからなり、固定板６がアクセサリーシュー１の収納部１ｄ内に挿入される。そして、図１２に示すように、締付リング５を回して固定板６との間でアクセサリーシュー１の上面片１ｃを挟持することにより、ストロボ装置等がカメラ一体型ＶＴＲ等に着脱可能に固定される。
【０００５】
【特許文献１】
実開平５−３３１４０号公報（第２頁、図１）
【特許文献２】
特開平２−２６２６２９号公報（第３頁、第２図）
【０００６】
【発明が解決しようとする課題】
しかしながら、上述したような従来のアクセサリーシュー１においては、上面片１ｃが平滑な平板状をなしていて、この上面片１ｃを締付リング５と固定板６とで挟持する挟持力だけでアクセサリーを撮像装置に取り付けて支持する構成となっており、その挟持力に基づく摩擦力だけで取付部材３の脱落を防止し、他には取付部材３の脱落を防止するための手段が設けられていなかった。そのため、カメラ一体型ＶＴＲ等に様々な振動や衝撃力が加えられることによって締付リング５と固定板６との間に緩みを生じると、上面片１ｃとの間の摩擦力が低下して取付部材３の移動が容易になり、取付部材３がアクセサリーシュー１から外れてストロボ装置等のアクセサリーがカメラ一体型ＶＴＲ等の撮像装置から容易に抜け落ちるおそれがあるという課題があった。
【０００７】
本発明は、このような従来の課題に鑑みてなされたものであり、アクセサリーを撮像装置に締付固定するため、撮像装置に固定されたアクセサリーシューとの間で緩みが生じたような場合にも、取付部材の移動を制限してアクセサリーが撮像装置から容易には抜け落ちないようにすることにより、上記課題を解決することを目的としている。
【０００８】
【課題を解決するための手段】
本発明のアクセサリーシューは、上述したような課題等を解決し、上記目的を達成するために、撮像装置のアクセサリー取付け用のアクセサリーシューであって、アクセサリーシューは、底面片、側面片、上面片及びストッパ片を有する板金部材よりなり、底面片の両端を折り曲げ、立ち上げるようにして側面片を形成し、各側面片の両端を互いに内側に折り曲げ、水平に対向させて上面片を形成し、各上面片の長手方向の一端を底面片側に折り曲げることによりストッパ片を形成するようにしたことを特徴としている。
【０００９】
また、本発明のアクセサリーシューを有する撮像装置は、アクセサリー取付け用のアクセサリーシューを有する撮像装置であって、アクセサリーシューは、底面片、側面片、上面片及びストッパ片を有する板金部材よりなり、底面片の両端を折り曲げ、立ち上げるようにして側面片を形成し、各側面片の両端を互いに内側に折り曲げ、水平に対向させて上面片を形成し、各上面片の長手方向の一端を底面片側に折り曲げることによりストッパ片を形成するようにしたことを特徴としている。
【００１０】
上述のように構成したことにより、本発明のアクセサリーシューによれば、挟持部材に緩みを生じたような場合にも、被挟持部に設けたストッパが挟持部材の移動を阻止するため、取付部材がアクセサリーシューから抜け出すのを防止して、アクセサリーの落下事故等の発生を防ぐことができる。
【００１１】
また、本発明のアクセサリーシューを有する撮像装置によれば、取付部材がアクセサリーシューから抜け出すのを防止してアクセサリーの落下事故等の発生を防止し若しくは抑制できる撮像装置を提供することができる。
【００１２】
【発明の実施の形態】
以下、本発明の実施の形態を図面に基づいて説明する。図１〜図１０は本発明の実施例を示すもので、図１は本発明の撮像装置の背面側の斜視図、図２は本発明のアクセサリーシューの第１の実施例を示す斜視図、図３は図２のアクセサリーシューに取付部材を装着する前の状態を示す説明図、図４は図２のアクセサリーシューに取付部材を装着して締付固定した状態を示す説明図、図５は本発明のアクセサリーシューの第２の実施例を示す斜視図、図６は本発明のアクセサリーシューの第３の実施例を示す分解斜視図、図７は図６に示すコネクタ部材のコネクタ端子を露出させた状態を示す斜視図、図８は図６に示すブロック部材の端子受け部と取付部材の接続端子との接触状態を示す説明図、図９は接続端子と平面部との好ましくない接触状態を示す説明図、図１０は接続端子と凹凸との好ましくない接触状態を示す説明図である。
【００１３】
図１に示すように、撮像装置の一具体例を示すカメラ一体型ＶＴＲ７は、被写体である像を光としてとらえて電気信号に変換するカメラ機構部と、このカメラ機構部からの電気信号を処理してテープ状記録媒体に情報として記録すると共に記録された情報を任意に再生することができるビデオ機構部と、これらカメラ機構部及びビデオ機構部が収容されるキャビネットとしての装置筐体８とから構成されている。
【００１４】
カメラ機構部は、被写体の像を光としてとらえるレンズの一具体例を示すズームレンズ９と、光の像を電気信号に変換する３つのＣＣＤ撮像素子等を有する光電変換部と、ズームレンズ９でとらえた像を目で見るためのビューファインダ１０と、ズームレンズ９のピント合わせや絞り量の調整等を行うモータ等をコントロールする電子部品の組み合わせからなるカメラ回路等から構成されている。そして、カメラ回路の電子部品は、主としてプリント基板に搭載されて、装置筐体８内に収容されている。
【００１５】
また、ビデオ機構部は、図示しないが、情報記録媒体の一具体例を示す磁気テープが収容されたカセットテープが着脱可能に装着されるメカデッキと、このメカデッキ等を駆動して磁気テープをローディングすると共に磁気テープに対して情報を記録し、又は記録された情報を再生する等のコントロールを行うためのビデオ回路等から構成されている。そして、メカデッキは、磁気ヘッド等を有する回転ドラムと、この回転ドラムに磁気テープをローディングするテープローディング機構と、このテープローディング機構等を支持するシャーシ等を有している。このビデオ回路の電子部品もまた、主としてプリント基板に搭載されて、装置筐体８内に収容されている。
【００１６】
装置筐体８の一側部（図１においてレンズの光軸の左側）には、ビデオ機構部のメカデッキを収容するメカデッキ収容部１１が設けられていると共に、他側部には、カメラ機構部及びビデオ機構部のプリント基板を収容する基板収容部が設けられている。そして、メカデッキ収容部１１には、側方に開閉可能な蓋体１２が設けられていて、蓋体１２の側面には、内部に収容したメカデッキの駆動ハブ等が透視できる透明部材からなる窓部１３が設けられている。そして、蓋体１２の上面にはＬＥＤ等のバックライトを有するタッチパネル式の操作ボタン群１４が設けられている。
【００１７】
また、装置筐体８の上部には把手１５が固定されている。この把手１５の先端には、ステレオ特性を有するステレオマイクロホン１６が前方に突出するように設けられている。そして、把手１５の前部上面には、アクセサリーシュー１７が一体的に固定されている。このアクセサリーシュー１７は、図２に拡大して示すように、板金を所定形状に打ち抜くことによって形成された１枚の板金部材からなり、その板金部材に折曲加工を施すことによって底面片１７ａと一対の側面片１７ｂと一対の上面片１７ｃと一対のストッパ片１７ｄとが一体に形成されている。
【００１８】
アクセサリーシュー１７の底面片１７ａは中央部に配置されていて、その両側を９０度折り曲げて立ち上げることによって一対の側面片１ｂが形成されている。更に、各側面片１ｂの両側を互いに内側へ９０度折り曲げて水平に対向させることによって一対の上面片１７ｃが形成されている。これにより、上面片１７ｃと底面片１７ａは互いに平行になっている。また、アクセサリーシュー１７には、一対の上面片１７ｃと一対の側面片１７ｂと底面片１７ａとで囲まれた収納部１８が形成されている。この収納部１８には、アクセサリーに設けられた取付部材３の固定板６が挿入されると共に、一対の上面片１７ｃ間の隙間内には固定板６を固定する固定ねじ４が挿入される。
【００１９】
更に、アクセサリーシュー１７の各上面片１７ｃの長手方向の一端を底面片１７ａ側へ折り曲げることによって、ストッパの一具体例を示す一対のストッパ片１７ｄが形成されている。このストッパ片１７ｄの折曲高さＨは、取付部材３の締付リング５を固定板６からある程度離した距離Ｌよりも小さくする（Ｈ＜Ｌ）と共に、取付部材３の取付後は固定板６の抜け出しを防止するために十分な引掛りシロＭが得られるように設定する。このストッパ片１７ｄには適当な角度の傾斜角θを与えているが、これは、締付リング５の締付け時に固定板６がスムースに収納部１８内に入り込むことができるようにすると共に、板金の加工性を良くすることを考慮したものである。
【００２０】
かかる構成を有するアクセサリーシュー１７には、アクセサリーの一具体例を示すストロボ装置や照明装置、集音マイクその他のアクセサリー２が、これに設けられた取付部材３によって着脱可能に取り付けられる。この取付部材３は、アクセサリー２の下端部において下方へ突出するように固定された固定ねじ４と、この固定ねじ４に螺合された円盤状の締付リング５と、固定ねじ４の下端部に固定された平板状の固定板６とからなり、締付リング５と固定板６とが挟持部材の一具体例を構成している。この取付部材３の締付リング５及び固定板６は、固定板６がアクセサリーシュー１７の収納部１８内に挿入できると共に、締付リング５と固定板６とで協働して一対の上面片１７ｃを上下から挟持することができる大きさとされている。
【００２１】
このような構成を有する取付部材３は、従来のアクセサリーシューに取付可能であって、かつ、上記寸法条件Ｈ＜Ｌを満足するものであれば、本実施例におけるアクセサリーの取付部材として用いることができる。また、取付部材の構成としては、上記ねじを用いた締付手段に限られるものではなく、例えば、カムを用いて一対の挟持部材を相対移動させて被挟持部を挟持できるようにした締付手段を適用できることは勿論のこと、その他にも各種の締付手段を適用することができる。
【００２２】
また、装置筐体８の背面部には、バッテリー電源が挿入されるバッテリー収容部を開閉可能に閉じている開閉蓋２０がヒンジ止めされていると共に、この開閉蓋２０には、操作入力に関する情報や情報記録媒体に記録されている情報その他の情報を表示する表示窓２１が設けられている。そして、開閉蓋２０の周囲には、カメラ機構部及びビデオ機構部等に駆動電流を供給する電源スイッチ２２と、オートロックスイッチ２３とコントロールダイヤル２４と蓋開放スイッチ２５とその他の操作スイッチ群２６とが設けられている。
【００２３】
かかる構成を有するカメラ一体型ＶＴＲのアクセサリーシュー１７にアクセサリー２を取り付ける場合は、まず、図３に示すように、収納部１８の挿入側にアクセサリー２の取付部材３を臨ませ、締付リング５を固定板６から十分に離した状態（Ｌ＞Ｈ）で固定板６を収納部１８内に挿入する。この場合、収納部１８の挿入側と反対側は装置筐体８の壁によって閉じられており、その壁が差込方向の位置決めをなしている。そのため、一対のストッパ片１７ｄを越えて固定板６を収納部１８内に挿入し、これを装置筐体８の壁に当接することによって取付部材３が所定位置に位置決めされる。
【００２４】
次に、図４に示すように、締付リング５を回して固定板６側に移動し、この締付リング５の締め込みによる締付リング５と固定板６との挟持力によって、一対の上面片１７ｃを上下から挟むように挟持する。これにより、アクセサリーシュー１７を介してアクセサリー２がカメラ一体型ＶＴＲ７に取り付けられる。
【００２５】
このようなアクセサリー２の取付状態において、例えば、本機を持ち運ぶ人の動き等によって様々な振動や衝撃力等がカメラ一体型ＶＴＲ７に加えられ、これがために締付リング５に緩みが生じると、締付リング５と上面片１７ｃ間及び固定板６と上面片１７ｃ間の摩擦力が低下して取付部材３がアクセサリーシュー１７から外れやすくなる。
【００２６】
ところが、本実施例では、固定板６が挿入される差込側の各上面片１７ｃの端部にはストッパ片１７ｄがそれぞれ設けられており、このストッパ片１７ｄが固定板６の移動を阻止することになる。そのため、上記振動や衝撃力等によって取付部材３の締付リング５と固定板６との間に緩みが生じたような場合にも、アクセサリーシュー１７のストッパ片１７ｄによって収納部１８から固定板６が抜け出すのを防止することができる。従って、アクサリー２が抜け落ちる落下事故を防止又は効果的に抑制することができる。しかも、従来のアクセサリー固定手段は、ユーザーの手作業による締付力のみであったため、ユーザーによって締付力に個人差が生じており、比較的非力な女性や子供の締付力では落下防止に不安があったが、本実施例によれば、大きな締付力を発揮できない非力な者の取扱いによっても、十分な抜け落ち防止効果を期待することができる。
【００２７】
図５に示すアクセサリーシュー２７は、本発明の第２実施例を示すもので、上面片２７ｃの奥行き側に突当ストッパの一具体例を示す突当て片２７ｅを一体に設けるようにしたものである。他の構成は上記アクセサリーシュー１７と同様であり、底面片２７ａと一対の側面片２７ｂと一対の上面片２７ｃと一対のストッパ片２７ｄとを備えている。突当て片２７ｅは、上面片２７ｃのストッパ片２７ｄと反対側の端部を内側へ９０度折り曲げることによって形成されており、この突当て片２７ｅによって固定部材３の固定板６の奥行き方向への移動を制限している。このような突当て片２７ｅを設けたアクセサリーシュー２７によれば、このアクセサリーシューのみで寸法管理を行うことができ、従って、装置筐体８への取付時の自由度を高めることができる。
【００２８】
また、図６及び図７に示すように、本発明の第３実施例を示すアクセサリーシュー３０は、板金によって形成されたシュー本体３１と、このシュー本体３１の収納部３２内に選択的に収納されて取り付けられるコネクタ部材３３及びブロック部材３４とから構成されている。シュー本体３１は、上記実施例のアクセサリーシュー１７と側面片の高さの点を除いて、同様の形状及び大きさを有しており、従って、底面片３１ａと一対の側面片３１ｂと一対の上面片３１ｃと一対のストッパ片３１ｄとを備えている。そして、外形寸法が同一に設定されたコネクタ部材３３又はブロック部材３４を収納部３２に収納するため、これら部材３３，３４の高さ分だけ側面片３１ｂが高く設定されている。
【００２９】
更に、シュー本体３１の底面片３１ａには、カシメ孔３５ａと位置決め孔３５ｂとねじ孔３５ｃとがそれぞれ複数設けられている。カシメ孔３５ａはコネクタ部材３３又はブロック部材３４をシュー本体３１に固定するために設けられたものであり、また、位置決め孔３５ｂはコネクタ部材３３又はブロック部材３４をシュー本体３１の所定位置に位置決めするために設けられたものである。このため、コネクタ部材３３及びブロック部材３４の底面には、それぞれ複数個のカシメ突起３３ａ，３４ａと位置決め突起３３ｂ，３４ｂとが設けられている。
【００３０】
また、コネクタ部材３３は、上記コネクタが内蔵されていない台座であり、このコネクタ部材３３の上面にはスライド溝３３ｃが所定の幅で前後方向に延在させて設けられていると共に、このスライド溝３３ｃにはスライドカバー３６が前後方向へスライド可能に嵌合されている。このスライドカバー３６は、図示しないコイルばねによって常時前側に付勢されており（図６に示す状態）、そのコイルばねの付勢力に抗してスライドカバー３６を後退させることにより、図７に示すように、内蔵された複数のコネクタ端子３７が露出される。これらのコネクタ端子３７は、背面側に設けた接続部に、撮像装置の配線の接続部を接続することによって当該撮像装置と電気的に接続される。
【００３１】
かくして、アクセサリー２の配線の接続部を取付部材３の固定板６に設け、アクセサリーシュー３０への装着時に固定板６でスライドカバー３６を開いてアクセサリー端子をコネクタ端子３７と接触させる構成とすると共に、アクセサリーシュー３０が取り付けられる撮像装置の配線の接続部をコネクタ端子３７の接続部に接続することにより、このアクセサリーシュー３０を介して撮像装置とアクセサリーを電気的に接続することができる。
【００３２】
尚、コネクタ部材３３のコネクタ端子３７の前部には、水切り用の凹部３８が設けられており、この凹部３８で水滴の溜まりを防ぐことによって、水滴によるコネクタ端子３７のショートを防止している。この水切り用の凹部３８は、溝等の他の手段であってもよい。
【００３３】
また、ブロック部材３４の上面には、コネクタ部材３３のスライド溝３３ｃに対応する端子受け部３４ｃが設けられている。この端子受け部３４ｃは、ブロック部材３４の上面から前面にかけて切欠きを設けることによって形成されており、その底面には山歯状の凹凸４０が前後方向へ延在するように形成されている。このブロック部材３４の端子受け部３４ｃは、アクセサリー２の取付部材３に設けられる接点端子４４との干渉を避けると共に、当該接点端子４４にストレスを与えないようにするために設けられたものであり、その凹凸４０のピッチは、接点端子４４の１／２程度に設定されている。
【００３４】
このように、ブロック部材３４の端子受け部３４ｃに凹凸４０を設けると共に、凹凸４０のピッチを接点端子４４のピッチの１／２程度に設定することにより、図８に示すように、必ず凹凸４０の頂上部分に接点端子４４を接触させることができる。従って、端子受け部３４ｃに接点端子４４によるすり傷が生じないようにすることができる。
【００３５】
因みに、図９に示すように、接点端子４４が平滑面４５に接触するものとすると、接点ばねの捩じれ等によってそのエッジ部が平滑面４５に接触することがあり、この場合には平滑面４５に傷ができるおそれがある。また、図１０に示すように、凹凸４０のピッチを接点端子４４のピッチよりも大きくすると、例えば、凹凸の谷間に入り込んだ接点端子４４のエッジ部が凹凸４０の斜面に接触し、その接触部分に傷をつけるおそれがあるため、好ましいものではない。
【００３６】
また、図６に示す４１は、シュー取付板である。このシュー取付板４１は、アクセサリーシュー３０を装置筐体８に着脱可能に取り付けることができるようにするためのものであり、シュー本体３１の底面片３１ａとほぼ同程度の大きさに形成されている。このシュー取付板４１には、その一部を９０度折り曲げることによって把持部４１ａが形成されていると共に、これとシュー本体３１を取付ねじ４２で締結するための複数の挿通孔４１ｂが、シュー本体３１のねじ孔３５ｃに対応させて複数設けられている。
【００３７】
尚、コネクタ部材３３及びブロック部材３４の材質としては、例えば、ＰＯＭ（ポリアセタール）等の合成樹脂が好適ではあるが、その他の合成樹脂を用いることができることは勿論のこと、合成樹脂以外にも、例えば、焼結合金やガラス等のように各種の材質のものを用いることができる。
【００３８】
このような構成を有するアクセサリーシュー３０は、例えば、次のようにして用いることができる。シュー本体３１との組み合わせをコネクタ部材３３にするか、又はブロック部材３４にするかの選択は、アクセサリーへの電源供給の有無や電気信号の供給の有無等を考慮して決定する。即ち、電源等の供給を必要とする場合には、コネクタ部材３３を選択し、また、その供給を必要としない場合には、ブロック部材３４を選択する。
【００３９】
この選択をした後の作業は、いずれの部材３３，３４を選択した場合にも同様であり、そのカシメ突起３３ａ（又は３４ａ）をシュー本体３１のカシメ孔３５ａに嵌合させると共に、位置決め突起３３ｂ（３４ｂ）をシュー本体３１の位置決め孔３５ｂに嵌合させる。これにより、シュー本体３１に対してコネクタ部材３３（又はブロック部材３４）が位置決めされるため、この状態でカシメ突起３３ａ（又は３４ａ）をカシメてシュー本体３１とコネクタ部材３３（又はブロック部材３４）を固定する。これによって、アクセサリーシュー３０の組立が完了する。
【００４０】
次に、アクセサリーシュー３０をカメラ一体型ＶＴＲ７の装置筐体８に取り付ける場合について説明する。この場合には、まず、装置筐体８の所定位置にアクセサリーシュー３０を配置すると共に、これに対応するよう装置筐体８の内側にシュー取付板４１を配置し、シュー取付板４１側から、その挿通孔４１ｂに取付ねじ４２を挿通させ、先端のねじ部をシュー本体３１のねじ孔３５ｃに螺合させる。そして、取付ねじ４２を締め込むことによってシュー本体３１とシュー取付板４１とで装置筐体８が挟持され、これにより、アクセサリーシュー３０がカメラ一体型ＶＴＲ７に取り付けられる。
【００４１】
かくして、シュー本体３１にコネクタ部材３３を取り付ける場合には、アクセサリーシュー３０に電源の供給機能や電気信号の通信機能が付加されるため、アクセサリー用の電源を別個独立に搭載する必要がなくなり、また、アクセサリーの動作をカメラ一体型ＶＴＲ７の動作に連動させることが可能となり、配線の簡略化及び装置の小型化等を図ることができる。因みに、従来のアクセサリーシューでは、アクセサリーを取り付ける際に電源線や信号線等の接続が必要であり、ビデオライト等は別にバッテリー電源を用意しなければならなかった。そのため、これらの手間がかかる故に、一般ユーザーにとってはアクセサリーの使用自体が「面倒くさい、難しそう」等の思惑が生じ、アクセサリーの使用が敬遠されがちであったが、本実施例によれば、かかる不具合をなくして、誰でも容易にアクセサリーを使用することができるようになる。
【００４２】
更に、コネクタ部材３３のコネクタ端子３７を覆うスライドカバー３６は、アクセサリーの着脱動作に連動して開閉され、非使用時にはスライドカバー３６によってコネクタ端子３７が覆われるため、コネクタ端子３７を有効に保護することができる。更に又、アクセサリーシュー３０は、一般に、装置筐体８の上面に取り付けられるため、水滴の付着は好ましいものではないが、本実施例においては、水抜き用の凹部３８を設けるようにしたため、水滴の付着によるコネクタ端子３７間のショートを防止することができる。
【００４３】
また、コネクタ部材３３の代わりにブロック部材３４を取り付ける場合には、装置本体の取付構造を変えないで、コネクタが無い形式の装置本体に容易に対応することができる。しかも、ブロック部材３４の端子受け部３４ｃには凹凸４０が設けられているため、コネクタ部材３３に対応する接続部を有するアクセサリー２を連結した場合であっても、その接点ばねによる傷の発生を無くし、或いは傷を目立ち難くすることができ、この種装置の商品価値を向上させることができる。
【００４４】
以上説明したが、本発明は上記実施例に限定されるものではなく、例えば、シュー本体３１やコネクタ部材３３及びブロック部材３４の形状、大きさ等は、上記実施例のものに限定されるものではない。更に、ストッパ及び突当ストッパとして、上面片１７ｃ，３１ｃの端部を折り曲げて形成した例について説明したが、この他にも、例えば、ピン部材を取り付けることによってストッパ又は突当ストッパを形成することができる。
【００４５】
また、上記実施例においては、撮像装置としてカメラ一体型ＶＴＲを適用した例について説明したが、これに限定されるものではなく、例えば、一般的なカメラは勿論のこと、カメラ以外にも、撮像装置にアクセサリーを着脱可能に取り付けるために使用される各種のアクセサリーシューに適用することができる。このように、本発明は、その趣旨を逸脱しない範囲で種々変更できるものである。
【００４６】
【発明の効果】
以上説明したように、本発明によれば、ストロボ装置や照明装置等のアクセサリーを、アクセサリーシューを介してカメラやカメラ一体型ＶＴＲ等の撮像装置に取り付ける場合に、撮像装置の振動や衝撃力等によってアクセサリーシューに緩みが生じたような場合においても、アクセサリーの抜け落ちによる落下事故の発生を防止することができると共に、比較的非力な女性や子供が取り扱う場合にも、十分な抜け落ち防止効果を得ることができるアクセサリーシューを提供できるという効果が得られる。
【００４７】
また、シュー本体にコネクタ部材を取り付ける場合には、アクセサリーシューに電源の供給機能や電気信号の通信機能を付加させることができるため、アクセサリー用の電源を別個独立に搭載する必要がなくなり、また、アクセサリーの動作を撮像装置の動作に連動させることが可能となり、配線の簡略化及び装置の小型化等を図ることができる撮像装置を提供できるという効果が得られる。
【図面の簡単な説明】
【図１】本発明の撮像装置の一実施例を示すカメラ一体型ＶＴＲの背面側の斜視図である。
【図２】本発明のアクセサリーシューの第１の実施例を示す斜視図である。
【図３】図２に示すアクセサリーシューに取付部材を装着する前の状態を示す説明図である。
【図４】図２に示すアクセサリーシューに取付部材を装着して締付固定した状態を示す説明図である。
【図５】本発明のアクセサリーシューの第２の実施例を示す斜視図である。
【図６】本発明のアクセサリーシューの第３の実施例を示す分解斜視図である。
【図７】図６に示すアクセサリーシューのコネクタ部材をシュー本体に取り付けると共にスライドカバーをスライドさせてコネクタ端子を露出させた状態を示す斜視図である。
【図８】図６に示すブロック部材の端子受け部と取付部材の接続端子との接触状態を示す説明図である。
【図９】図８に示す取付部材の接続端子とブロック部材の平滑面との好ましくない接触状態を示す説明図である。
【図１０】図８に示す取付部材の接続端子とブロック部材の凹凸との好ましくない接触状態を示す説明図である。
【図１１】従来のアクセサリーシューを示す斜視図である。
【図１２】従来のアクセサリーシューの取付状態を示す説明図である。
【符号の説明】
２　アクセサリー、　５　締付リング（挟持部材）、　６　固定板（挟持部材）、　７　撮像装置（カメラ一体型ＶＴＲ）、　８　装置筐体、　１７，２７，３０　アクセサリーシュー、　１７ｃ，２７ｃ，３１ｃ　上面片（被挟持部）、　１７ｄ，２７ｄ，３１ｄ　ストッパ片（ストッパ）、　２７ｅ　突当て片（突当ストッパ）、　３１　シュー本体、　３２　収納部、　３３　コネクタ部材、　３４　ブロック部材、　３４ｃ　端子受け部、　３６　スライドカバー、　４０
凹凸、　４１　シュー取付板
【図１】
2004029733.tif 000003
【図２】
2004029733.tif 000004
【図３】
2004029733.tif 000005
【図４】
2004029733.tif 000006
【図５】
2004029733.tif 000007
【図６】
2004029733.tif 000008
【図７】
2004029733.tif 000009
【図８】
2004029733.tif 000010
【図９】
2004029733.tif 000011
【図１０】
2004029733.tif 000012
【図１１】
2004029733.tif 000013
【図１２】
2004029733.tif 000014